(57)【要約】【課題】コンテンツに連動してラベルを表示出来るようにする。【解決手段】再生用光照射手段とラベル表示用光照射手段、ラベル表示用窓を有する、光照射により記録層の原子配列が変化及び／又は凹凸によりして形成されたデータ領域の再生を行う情報再生装置であって、情報記録媒体のラベル領域への光照射パターンを情報記録媒体のデータ出力に連動させる機能を有する。【選択図】図１
2008171493.tif 000002
【特許請求の範囲】
【請求項１】
光ディスクを装着して回転駆動する手段と、
光源と対物レンズと光検出器を搭載して光ディスクの半径方向に移動可能な光ヘッドと、
前記光ヘッドによって検出された再生信号を処理する信号処理部と、
ラベル表示用光照射手段と、
ラベル表示窓を有する筺体とを有し、
コンテンツが記録されているデータ記録領域と前記コンテンツに対応する視認可能な図形が縮小されてラベルとして記録されているラベル領域とを有する光ディスクを再生するとき、前記光ヘッドによるデータ記録領域の再生信号を前記信号処理部によって処理してコンテンツを出力するとともに、前記ラベル表示用光照射手段からラベル領域に光照射して当該ラベル領域に記録されたラベルを前記ラベル表示窓を通して表示することを特徴とする情報再生装置。
【請求項２】
請求項１に記載の情報再生装置において、前記ラベル表示窓は透明窓であり、前記ラベルを前記ラベル表示窓を通して投影表示することを特徴とする情報再生装置。
【請求項３】
請求項１に記載の情報再生装置において、前記ラベル表示窓は半透明窓であり、前記ラベルを前記ラベル表示窓に表示することを特徴とする情報再生装置。
【請求項４】
請求項１に記載の情報再生装置において、前記信号処理部はラベル表示パターン検出手段とラベル表示制御回路を有し、前記ラベル表示パターン検出手段は光ディスクのデータ記録領域に記録されている光照射の数、タイミング、時間、強度、及びこれらの組合せからなるラベル表示用光照射パターンを検出し、前記ラベル表示制御回路は前記ラベル表示パターン検出手段が検出した情報をもとに前記ラベル表示用光照射手段を制御することを特徴とする情報再生装置。
【請求項５】
コンテンツが記録されているデータ記録領域と、
前記データ記録領域に記録されたコンテンツに対応する視認可能な図形が縮小されてラベルとして記録されているラベル領域と
を有することを特徴とする光ディスク。
【請求項６】
請求項５記載の光ディスクにおいて、前記ラベルは記録層の透過率差、位相差、又は反射率差により形成されていることを特徴とする光ディスク。
【請求項７】
請求項５記載の光ディスクにおいて、前記ラベルを表示するための前記ラベル領域への光照射パターンに関する情報が前記データ記録領域に記録されていることを特徴とする光ディスク。
【請求項８】
コンテンツが記録されているデータ記録領域と前記コンテンツに対応する視認可能な図形が縮小されてラベルとして記録されているラベル領域とを有する光ディスクの再生方法であって、
前記データ記録領域に記録されたデータを再生するステップと、
再生したデータをバッファに蓄えるステップと、
再生したデータをコンテンツのデータとラベル表示のためのデータに分離するステップと、
前記コンテンツのデータを出力するステップと、
前記ラベル表示のためのデータに従って光ディスクのラベル領域を光照射し、当該ラベル領域に記録されている視認可能な図形を表示するステップと
を有することを特徴とする光ディスクの再生方法。
【発明の詳細な説明】
【技術分野】
【０００１】
本発明は、光ディスクに記録されたコンテンツの出力に連動してコンテンツのラベル表示を行う情報再生装置、コンテンツに連動してラベル表示を行うことが出来る光ディスク、コンテンツの出力に連動してコンテンツのラベル表示を行う光ディスクの再生方法に関する。
【背景技術】
【０００２】
情報記録媒体としての光ディスクは、それ自身（ディスク）にコンテンツが記録されている、又は記録することが出来ること、ディスク面にコンテンツの内容や関連情報をラベルとして表示することが特徴である。記録面にラベルを書き込む方法の例が特許文献１、特許文献２に示されている。
【０００３】
【特許文献１】特開２００３−１６６６４９号公報
【特許文献２】特表２００６−５１４３９９号公報
【発明の開示】
【発明が解決しようとする課題】
【０００４】
上記のラベルは、情報再生装置がなくても視認出来るという特徴を持つが、一方で情報再生中にコンテンツに関するラベルやその関連情報を見ることが出来ない。また、これらのラベルでは、情報記録媒体へ肉眼で視認できるサイズの図形や文字を形成するには時間がかかり、時間を短縮すると、図形や文字の大きさが小さく視認しにくかった。この他、コンテンツに関する図形、文字、映像などを表示する方法としては、一般にはＴＶやディスプレイなどの表示専用手段が存在するが、これらは高価かつ特別なケーブルなどで接続を必要とした。
【０００５】
本発明は、コンテンツに連動してラベルを表示でき、さらに小さなラベルを大きくしたり、よりコントラストを持たせたりすることのできる情報再生装置及び情報記録媒体を提供することを目的とする。
【課題を解決するための手段】
【０００６】
本発明の光ディスクは、コンテンツが記録されているデータ記録領域と、前記データ記録領域に記録されたコンテンツに対応する視認可能な図形が縮小されてラベルとして記録されているラベル領域とを有する。ラベル領域には、媒体の透過率差、位相差、回折、反射率差などにより図形が形成されている。ここで図形とは、図形、記号、絵、画像、文字などラベルとして表示される内容をいう。
【０００７】
本発明の情報再生装置は、コンテンツ再生用の光照射手段とラベル表示用の光照射手段、ラベル表示窓を有し、光ディスクのラベル領域への光照射パターンを光ディスクのコンテンツ出力に連動させる機能を有する。これによりコンテンツを、より楽しむことが出来るようになる。このラベル表示用光照射パターンは、光ディスクのデータ記録領域に記録されている。
【０００８】
情報再生装置では、データとラベルを有する光ディスクのデータを再生し、再生したデータをバッファに蓄え、クロックを元にコンテンツ毎の出力タイミング制御し、そのタイミング制御により、バッファから取り出したコンテンツデータ出力動作とラベル表示動作、回転制御動作を行い、前記動作が全て終了するまで、次のコンテンツを出力するタイミングを待つことにより、コンテンツに連動させてラベル表示を行う。
【発明の効果】
【０００９】
本発明によると、情報再生装置のみで簡便に、コンテンツに連動した図形、文字、映像などを表示できる。これにより、ユーザはよりコンテンツを楽しむことができ、ラベルを見やすくできる。
【発明を実施するための最良の形態】
【００１０】
以下、図面を参照して本発明の実施の形態を説明する。
【実施例１】
【００１１】
図１は、本発明による情報再生装置の構成例を示す模式図である。この光ディスク１０１は、データを記録するデータ領域１０２とラベル表示するためのラベル領域１０３を有する。光ディスク１０１は、モータなどの回転手段１０４に、固定手段１０５で固定され、中心線１Ａ−１Ｂを中心に回転している。なお、説明の便宜上、装置には光ディスク１０１が装着されている様子が示されている。情報を再生するためには光ディスク１０１は必須であるが、光ディスク１０１は必要に応じて光ディスク装置から取り外され、或いは取りつけられる。
【００１２】
光ディスク装置は、データ記録再生用半導体レーザ１０６、光検出器１０７及び対物レンズ１０８を備えて光ディスク１０１の半径方向に移動可能な光ヘッド１０９、光ディスク１０１を回転駆動するモータ１０４、半導体レーザ１０６をパターン生成回路１１１にて生成されたパターンに従って駆動するレーザドライバ１１０、装置全体の制御を行うシステムコントローラ１１２、及び、どのコンテンツを再生するかどうかを入力する入力手段１１３を備えている。なお、図示しないが、光ヘッド１０９にはオートフォーカスやトラッキングのために対物レンズ１０８の光軸方向位置及び光軸に垂直な方向の位置を制御するためのアクチュエータが設けられ、光ヘッド１０９による検出信号をもとにアクチュエータ駆動信号を発生するサーボコントローラが設けられている。
【００１３】
コンテンツ連動ラベル表示機能を有する光ディスク装置に光ディスクが取りつけられ、入力手段１１３を介してコンテンツの再生順、回数などの情報が送られてきた場合、システムコントローラ１１２は、光ヘッド１０９から発生されるレーザ光の焦点を光ディスク１０１上のコンテンツデータ記録層の適切な位置に位置決めし、コンテンツ情報及びラベル表示情報を再生し、それぞれコンテンツ出力パターン検出回路１１４にてコンテンツ出力パターンを検出、ラベル表示パターン検出回路１１７にてラベル表示パターンを検出する。コンテンツ出力パターンとは、コンテンツの出力タイミング、出力時間、出力回数、出力順序、出力強度などを指す。ラベル表示パターンとは、ラベルの表示タイミング、表示時間、表示回数、表示順序、表示強度、表示の色などを指す。検出されたコンテンツ出力パターンは、コンテンツ出力制御回路１１５に送られ、コンテンツ出力手段１１６にてコンテンツ１２４が出力される。ここでは、コンテンツが音楽だったので、出力手段はスピーカーを用いた。一方、ラベル表示パターンは、ラベル表示制御回路１１８に送られ、ラベル表示手段１２６により、光ディスク上のラベル領域１０３が表示される。ラベル表示手段１２６は、ＬＤ、ＬＥＤ、ランプなどの光源を有し、ラベル表示制御回路１１８にて、光出射の時間、光強度、タイミングを制御する。これは、電圧のON，OFFで行ってもよいし、シャッターなどを光出射部に設けてその開閉で制御しても良い。また、レンズやミラーを組込むと、光出射の強度を強くして、ビーム状に近づけることが出来る。複数光源を持つ場合は、どの光源から光を出射するかについても、ラベル表示制御回路１１８にて制御する。色の異なる複数のＬＤ、ＬＥＤを有すると、コンテンツに応じて色を切替えることが可能となる。
【００１４】
ここでは、コンテンツ１２４は音楽であり、この音楽に合わせて、ラベル表示手段１２６のＬＥＤを駆動して、拡大されたラベル１１９を壁や天井などのスクリーン１２０に投影した。拡大されたラベル１１９は、装置の外にあるスクリーン１２０に投影することにより、形成される。このように、本発明のコンテンツ連動ラベル表示機能を有する光ディスク装置は、あたかもプロジェクタのような役割も有している。この他、装置外部ではなく、装置の一部に投影してラベル表示を行ってもよい。装置の一部がスクリーンを兼ねる例は実施例２で説明する。
【００１５】
ここで用いた情報記録媒体１０１のラベル表示部１０３周辺を図２（ａ）に拡大して示した。透過率の違いによって形成されたラベルに、ラベル表示手段１２６から光１２５が照射されると、ラベル表示部１０３を透過する際に、透過率の高さに応じて、透過光１２１の強度が変化し、ラベル１１９を表示する。
【００１６】
情報再生装置の筺体１２２に形成された窓１２３を通って、スクリーン上にラベルが投影表示される。この場合の窓１２３は、ポリカーボネートやアクリル材など、光を透過する素材で形成される。ユーザが毎回コンテンツ順や回数を選ばなくてもよいように、デフォルトで情報記録媒体の再生順、たとえば内周から記録されている順に再生するように設定しておいてもよい。
【００１７】
図２（ａ）には、情報記録媒体１０１の断面構造を模式的に示した。図２（ａ）は透過型、つまり透過率の違いを用いてラベルを形成した例である。図２（ａ）のラベル表示部１０３は、情報記録媒体１０１をラベル表示手段１２６側から見た図２（ｃ）中のライン２Ａ−２Ｂの箇所の断面を示している。ラベル表示部１０３には、透過率が高い領域２０１と透過率が低い領域２０２が形成されている。ラベル表示部１０３を透過した光１２１は、透過率が高い領域２０１を透過した部分では光量２０３が高く、光量が強い領域２０５を形成し、透過率が低い領域２０２を透過した部分では光量２０４が低くなり、光量が弱い領域２０６を形成する。各領域の透過率は図３に示したとおりである。このようにして、情報再生装置の筺体１２２に形成された窓１２３を通って、スクリーン上に拡大したラベル１１９が形成される（図２（ｂ））。このように、情報記録媒体上に形成されたラベル表示部１０３中のラベルは、ユーザが見る場合は、スクリーン上に拡大したラベル１１９のように、サイズが大きく、視認しやすい状態となる。ラベル表示手段１２６をＬＥＤからポインタ型のレーザに変更すると、サイズ拡大はほとんど見られないが、表示手段の輝度が大きいためコントラスト変化がより顕著になり、ラベルが見やすくなる。
【００１８】
ここでは、説明を簡単にするため、透過率の高低によってラベルの図形を形成したが、ラベルを形成するドットの大きさを変えることにより、拡大されたラベル内でのコントラストを変えることが出来る。また、図形を形成している部分２０１とそれ以外の部分２０２は、両者の透過率が異なればラベル表示が可能である。本実施例のように図形を形成している部分２０１がそれ以外の部分２０２より透過率が高い方が、図形が明るく見えるため視認しやすくなる。拡大された図形であるラベル１１９における光強度のコントラストが１０％あれば視認出来るが、３０％以上あるとより視認しやすくなり好ましい。
【００１９】
また、ラベル全体のコントラストを変化させるには、ラベル表示手段１２６の照射強度を変化させればよい。さらに、複数色の照射手段を用いれば、複数の色でラベルを表示でき、赤、青、緑の３原色をそろえ、各強度を調整することにより、黄色、オレンジ、紫、などの中間色も表現出来る。
【００２０】
図４には、本発明の情報再生装置３０１の使用例を示した。情報記録媒体３０２を情報再生装置３０１に入れることにより、ユーザ３０５が音楽などのコンテンツ３０４を楽しみながら、コンテンツのラベル表示３０３を楽しむことが出来る。ラベル表示の内容は、コンテンツのタイトルや説明、歌詞、関連情報の他に、コンテンツをより効果的に楽しんだり、理解を深めたりするのに必要な図形、文字などでも良い。これにより、ユーザはコンテンツをより楽しみ、理解を深めることが出来るようになる。複数人数でコンテンツを楽しむことも出来る。
【００２１】
これまで、図形、文字、映像などを表示するには、テレビやディスプレイなどの特別な表示手段に接続する必要があったが、本発明の情報再生装置は、特別な表示手段を必要とせず、さらに、情報記録媒体を再生装置にセットするという、極めて簡便な操作で図形、文字、映像などを表示することが出来る。
【００２２】
本実施例では、コンテンツが音楽の例を示したが、音楽以外の音声、音、映像というコンテンツでもよい。例えば、音楽に合わせて、星空や夕焼けなどの図や色合いを表示する、波の音に合わせて波の動きを表示する、などの組合せによりリラックス効果が向上する。
【００２３】
図５は、光ディスクに記録されたコンテンツを再生しながら、コンテンツに連動させてラベル表示させる場合の処理例を示すフローチャートである。ディスクを投入／装置電源投入すると、コンテンツ連動ラベル表示が可能なディスクかどうかの判別処理を行う（ステップ４０１）。ラベル表示部のないディスク、装置の規格外のディスク等が投入された場合、コンテンツ連動ラベル表示が可能でないとしてエラー処理を行う（ステップ４０２）。ディスクがコンテンツ連動ラベル表示を可能であれば、次にディスク種別の判別処理を行う（ステップ４０３）。ディスク種別の判別処理では、ラベルのレイアウト座標と光ディスクの回転制御、ラベル表示用照射手段位置との対応付けを行う。次に、コンテンツとラベル情報を再生し、入手する（ステップ４０４）。ここで入手したラベルデータは、ラベル出力準備（ステップ４０５）を経てラベル表示される（ステップ４０６）。これと平行して、ステップ４０４とステップ４０７の間にコンテンツ出力を行う。コンテンツデータは、コンテンツ出力準備を経てコンテンツ出力される。両方の処理Ｓ４０６とコンテンツ出力が終わり、さらに入力データがあればステップ４０７からステップ４０４に戻って処理を反復し、入力データがなければ処理を終了する。
【００２４】
図６（ａ）は、装置全体の制御を行うシステムコントローラ１１２の説明図である。入力手段１１３からの入力信号により、コンテンツの出力順序や回数などのコンテンツ出力パターン情報は、システムコントローラ１１２のタイミング制御回路５０２に送られる。再生信号はバッファ５０３に蓄積され、タイミング制御回路に送られた入力信号の順番に応じて、バッファ５０３に蓄積されたデータをラベル表示パターン情報とコンテンツ出力パターン情報に分けて、検出回路に送る。コンテンツ出力情報は、コンテンツ出力パターン検出回路１１４を経由し、コンテンツ出力制御回路１１５にてコンテンツ出力手段を制御する。ラベル表示情報は、ラベル表示パターン検出回路１１７を経由し、ラベル表示制御回路１１８にてラベル表示手段を制御する。ラベル表示情報と同時に、回転制御信号が回転制御・クロック発生回路１２７に送られ、同期回路５０８にて同期することにより、ラベル表示に合った回転数に制御する。再生信号は、ラベル表示パターン、コンテンツ出力パターン、コンテンツを含む信号であるため、ラベル表示パターン検出手段１１７において、ラベル表示パターンのみ抽出する。同様に、コンテンツ出力パターン検出回路１１４では、コンテンツ出力パターンのみ抽出する。
【００２５】
図６（ｂ）に、タイミング制御回路５０２でのシーケンス制御のタイミングチャートを示した。回転に同期したクロック信号をトリガーに、タイミング制御スイッチがONとなり、これにリレーしてコンテンツ出力動作、ラベル表示動作、ラベル表示のための回転制御動作が実行される。コンテンツ１は、コンテンツ出力動作が表示動作と同時に終わる場合、コンテンツ２は、コンテンツ出力動作と表示動作の終了時間がずれる場合を示した。全ての動作が終了すると、タイミング制御スイッチがOFFとなり、次のクロックタイミングで、次のコンテンツのタイミング制御スイッチが入る。このようにして、コンテンツとラベル表示のタイミングを制御することが出来る。ラベル表示制御回路118では、タイミング制御スイッチのリレーがONになると、ラベル表示動作をONにし、ラベル表示動作がOFFになると、タイミング制御スイッチに信号を送る。コンテンツ出力制御回路１15では、タイミング制御スイッチのリレーがONになると、コンテンツ出力動作をONにし、コンテンツ出力動作がOFFになると、タイミング制御スイッチに信号を送る。コンテンツ出力動作、ラベル表示動作、回転制御動作が全てOFFになると、タイミング制御スイッチはOFFとなる。
【００２６】
図７に情報記録媒体の断面構造を模式的に示した。記録用のレーザ６０５は、基板６０１を介して、光照射により原子配列が変化するデータ記録層６０２に照射される。原子配列変化は、結晶状態と非晶質状態、準結晶状態と非晶質状態の相変化、液晶などのように、原子配列が規則的であることと不規則の間の変化や、並び方の違いでも良いし、分子の構造が変化しても良い。
【００２７】
ここでは、透過率差が大きい、結晶状態と非晶質状態の相変化による原子配列変化の例を示す。この他、原子配列変化により、体積変化、凹凸などの形状変化、位相差、回折が生じる変化でも良い。ラベル領域１０３の図形を透過率ではなく、凹凸などの形状変化、位相差、回折の違いにより形成しても、同様に光の強度の違いにより拡大された図形１１９が形成される。
【００２８】
この光ディスク１０１は、次のようにして作製した。トラッキング用の溝又はパターンを有する透明基板６０１上に、ＺｎＳ−ＳｉＯ2、Ｇｅ−Ｓｂ−Ｔｅ、ＺｎＳ−ＳｉＯ2からなるデータ記録層６０２と、反射層６０３を形成した。一方で、保護基板６０４を、ＵＶ硬化樹脂にて接着し、媒体を組み立てた。その後、初期結晶化を行った。本実施例の媒体は透過型であるため、反射層はＡｌ2Ｏ3などの透明材料からなる。ここに記載していない材料を用いても良い。
【００２９】
本媒体では、高いレーザパワーを照射し、結晶状態から非晶質状態にすることにより、コンテンツデータ及びラベルを記録する。ユーザが記録するだけでなく、製造メーカが書込み後に販売してもよいし、ラベルをユーザの好みに書換えることも可能である。記録層をＴｅＯｘなどの不可逆材料とすれば、ライトワンスにすることも可能である。
【００３０】
図８は、光ディスクにコンテンツ連動ラベルの書き込みを行う場合の処理例を示すフローチャートである。ディスクを投入／装置電源投入すると、初めにラベル書き込みが可能なディスクかどうかの判別処理を行う（ステップ８０１）。書込みが出来ないディスク、装置の規格外のディスク等が投入された場合、書き込み可能でないとしてエラー処理を行う（ステップ８０２）。ディスクがラベル書込み可能であれば、次にディスク種別の判別処理を行う（ステップ８０３）。ディスク種別の判別処理では、ラベルのレイアウト座標と光ディスクのセクタ配置との対応付けを行う。次に、ラベルデータを入力する（ステップ８０４）。データが入力されると、記録準備（ステップ８０５）を経て図形、コード、記号、文字データの書き込みとラベル情報がそれぞれ記録される（ステップ８０６）。記録処理が終了した後、さらに入力データがあればステップ８０７からステップ８０４に戻って処理を反復し、入力データがなければ処理を終了する。
【００３１】
図９を用いて、ラベル表示用の図形等の書き込み工程を詳しく説明する。書き込み開始になると、上位装置からラベル表示用の図形、コード、記号、文字データを読み込む（ステップ９０１）。図形、コード、記号、文字等は以下、総称して図形という。次に、読み込んだ図形のデータを書き込み用座標系に展開し（ステップ９０２）、図形データを書込み条件ごとに分離する（ステップ９０３）。書き込み用座標系を光ディスク上の座標に変換し（ステップ９０４）、ディスク上の座標に展開された形状データと条件データに基づいてトラック毎のレーザ駆動パターンを生成する（ステップ９０５）。レーザ駆動パターンは書込み条件ごとにレーザ照射光及び／又は照射回数が異なるように生成される。上記記録条件は、媒体に凹凸情報で記録されており、そこからデータを読み込む方法でもよいし、情報記録装置側に持っている媒体種類ごとのデータベースから読み出してもよいし、情報記録装置に媒体をセットした後に記録学習により求めても良い。また、これらの方法で決定した記録条件を媒体に記録しておき、次に書き込む場合に読み出す方法でもよい。いずれかの方法により、ラベルの記録条件を決定する。さらに、前記レーザ駆動パターンに基づいてレーザ光源を駆動し、光パルスを光ディスクのデータ層のラベル書込み領域に照射し（ステップ９０６）、光ディスクへのラベル用図形の書き込みが行われる。このなかで、ステップ９０２とステップ９０３の順番は、入れ替えても書き込みは行えるが、図９に記載した順番の方が処理は早い。
【００３２】
ラベル用図形書き込み準備及び書き込み処理は、システムコントローラ１１２（図１、図１０）の制御下に行われる。図形書き込み準備とは、光ディスク上の図形書き込み位置への光ヘッドの移動、書き込み内容及び書き込み条件を符号化し、書き込み手段へ伝達する処理である。図１０に示したように、システムコントローラ１１２に書き込み内容と光ディスクへの書き込み始めの場所等を示したアドレス情報を含む入力信号が送られると、必要に応じてアプリケーションソフト７０１にて処理が行われ、バッファ５０３にその情報が蓄えられ、タイミング制御回路５０２に送られる。タイミング制御回路５０２では同期回路５０８から出力される同期信号とバッファ５０３からの入力信号を、タイミングを合わせて符号器７０６へ送る。符号器７０６にて処理された信号はパターン生成回路７０７を得て、記録手段へ伝えられる。
【００３３】
図１１は、符号器７０６における処理の詳細を示す説明図である。キーボードから入力されたラベル用の図形書き込みデータ（図示の例では“Ｎ”）はラベル記録条件を追加された後、図形書き込み用座標に展開され、ディスク上に設定された実際の図形書き込み座標への変換が行なわれる。例えば、“Ｎ”はＸ座標軸には１〜２０、Ｙ座標軸には１〜２０に展開される。この中の（Ｘ５、Ｙ５）、（Ｘ５、Ｙ６）、（Ｘ５、Ｙ７）、他にあたるエリアに書き込みが行なわれる。この書き込み情報と図１１に示したようなセクタと図形書き込み座標の対応表に基づき、図形書き込みパターンが形成される。図示した例の場合は、ディスク上の図形書き込み座標の書き込み開始点（Ｒ１０１、Ｔ１０１）を図形書き込み用座標の（Ｘ１、Ｙ１）に対応させるため、（Ｘ５、Ｙ５）、（Ｘ５、Ｙ６）、（Ｘ５、Ｙ７）はそれぞれ、（Ｒ１０５、Ｔ１０５）、（Ｒ１０５、Ｔ１０６）、（Ｒ１０５、Ｔ１０７）に変換される。
【００３４】
図１２の拡大図に見られるように、書き込まれたラベル領域１２０３は、複数の非晶質領域１２０５と結晶領域１２０４から形成されている。ここでは簡略化のために、８トラックで形成してある。拡大表示されるため、視認されるより小さいサイズの集合体でも良い。
【００３５】
図１３は、書き込み波形の生成についての説明図である。システムコントローラ１１２の符号器７０６では、セクタと図形書き込み座標の対応表に基づき、図形書き込み座標に展開された図形をもとに、記録順に従いトラックごとに同期信号に対応してタイミングをとった基本書き込みパターンが形成される。図１３には、ディスク上の図形書き込み座標（Ｒ１０５，Ｔ１０５）に対応する書き込みパターンを例示的に示した。パターン生成回路７０７では、これに記録条件に応じた書き込みパターンを追加して最終的な書き込み波形を生成し、バッファに蓄える。
【００３６】
このようにして、光照射により原子配列が変化することによってデータ記録層にデータ記録を行う情報記録媒体に、情報記録装置を用いて、コンテンツに連動して表示するための、ラベルを記録することができる。
【００３７】
本発明のラベル記録機能を有する光ディスク装置は、ディスクのデータ領域／ラベル領域のフォーマットの種類ごとにセクタの配置情報とラベル記録用座標との対応表をもつ、又は最初の書き込み時にフォーマット情報を作成する。図１２に、情報記録媒体１０１をフォーマットによりデータ領域１２０１とラベル領域１２０２に分離した例を示す。ラベル領域１２０２には、ラベル表示用の図形等が書き込まれている。ラベル部の拡大図に示されているように、透過率の違いにより、ラベル用の書き込みがされており、透過率の高い領域１２０３が透過率の低い領域１２０４の中に形成されている。
【００３８】
本発明の光ディスク装置は、データ記録のみを行う通常の光ディスク装置と比べて“データ記録領域とラベル領域を区別し管理する機能”、及び“コンテンツとラベル表示パターンを区別し記録する機能”が追加されている点が異なる。これらの機能は、上位入力装置にて受持つ以外に、システムコントローラが受け持っても良い。また、これら記録条件はアプリケーションソフトではなく、情報記録媒体に記録されていても良いし、装置にかけた際に、学習により記録条件を求めてもよい。
【００３９】
図１４に、ラベル表示用光照射パターンの例としてタイミングチャートを示した。これらのパターンは、タイミング制御回路５０２でのシーケンス制御をトリガーに出力される。スピンドルインデックスなどの回転に同期したクロック信号をトリガーに、タイミング制御スイッチがONとなり、これにリレーしてラベル表示動作が実行される。ラベル表示手段の照射パルスＡでは、トリガーのあと時間ｔ２を待ったのち、照射が行われ、照射パルスＢでは、トリガーのあと時間ｔ３を待ったのち、照射が行われる。照射パルスＣでは、トリガーのあと待つ時間がｔ１，ｔ２，ｔ３と変化しながら照射が行われる。
【実施例２】
【００４０】
本発明の別の実施例として、ラベルが再生装置の外のスクリーンではなく、再生装置の一部に投影される例を示す。用いる情報記録媒体は、透過型であり、実施例１に記載したものと同様である。
【００４１】
図１５に装置の構成図を示した。装置の構成要素は基本的に図１と同様であり、ここで用いた情報記録媒体１０１にラベル表示手段１２６から光１２５が照射されると、ラベル表示部１０３を透過する際に、透過率の高さに応じて、透過光１２１の強度が変化し、ラベル１１９を表示する。このように、照射光１２５は、情報記録媒体１０１の再生装置の外に出ずに、窓１４０１に投影され、窓１４０１に映った拡大されたラベル１１９を見ることが出来る。本実施例の場合、筺体１２２に設けられた窓１４０１は、アクリル、ポリカーネート等プラスチック素材に摺り加工した半透明窓である。この他、０．４ｍｍ程度以下に薄膜化された紙や木材など、プラスチック以外でも光の照射により明るさが変って見える材質であれば良い。
【００４２】
図１６（ａ）（ｂ）（ｃ）にラベル表示の例を示した。図１６（ａ）は、音楽のタイトルがラベルとして形成されている光ディスクの例である。コンテンツである音楽、コンテンツ出力パターン、ラベル表示パターンなどのデータはデータ領域１２０１に記録されており、ラベル情報はラベル領域１２０２に書き込まれている。データを再生した再生信号の処理に関しては図６と同様である。
【００４３】
図１６（ｂ）、図１６（ｃ）は、図１６（ａ）の光ディスクを用いてコンテンツ連動再生中の光ディスク装置の外観である。装置の筐体１５０６とラベル表示用の窓１５０５から形成されている。装置の構成は、図１５にて説明したものと同じである。この光ディスクを装置にセットすると、コンテンツ再生中のラベル表示は次のようになる。１曲目では、図１６（ｂ）に示すように、タイトル１５０１が窓１５０５にくるタイミングでラベル表示用光照射が行われるため、タイトル１５０１を見ることが出来る。２曲目では、図１６（ｃ）に示すように、タイトル１５０２が窓１５０５にくるタイミングでラベル表示用光照射が行われるため、タイトル１５０２を見ることが出来る。このような表示は、図１４のタイミングチャート照らし合わせると、１曲目では照射パルスＡが用いられていたのが、２曲目では、照射パルスＢに切り替わることにより、可能となる。タイトル１５０３，１５０４も同様に表示する。１回の照射時間は、０．０５秒以上０．１秒未満が好ましい。長すぎるとラベルの位置移動が大きく読みにくいし、短すぎると判別が難しくなる。
【００４４】
さらに、図１７（ａ）（ｂ）（ｃ）に見られるように、一度にタイトル全部を表示するのではなく、一部ずつ時間差で表示することも可能である。ここでは、１字ずつ表示する例を示した。図１７（ｂ）では、タイトル中の“Ｗ”を表示、図１７（ｃ）ではタイトル中の“ａ”を表示している。図１４の照射パルスＣのように、トリガーのあと待ち時間をｔ１，ｔ２，ｔ３とすこしずつ変化し、目的の場所が窓１７０５に来るタイミングで照射することにより、可能となる。
【００４５】
ここで特に触れなかった記録方式、媒体構成、材料、情報記録方法及び情報再生方法、装置等については、実施例１と同様である。
【実施例３】
【００４６】
本発明の別の実施例として、ラベルに光が反射して、再生装置の一部に投影される例を示す。用いる情報記録媒体は、反射型であり、実施例１では、透過率の違いを用いてラベルを表示していたが、ここでは反射率の違いによりラベルを表示する。反射層材料を透明材料から、高反射率材料に変えることにより、反射型とすることが出来る。ラベル領域１０３の図形を反射率ではなく、凹凸などの形状変化、位相差、回折の違いにより形成しても、同様に光の強度の違いにより拡大されたラベル１１９としての図形が形成される。拡大されたラベル１１９としての図形における光強度のコントラストが１０％あれば視認出来るが、３０％以上あるとより視認しやすくなり好ましい。
【００４７】
図１８に装置の構成図を示した。装置の構成要素は基本的に図１５と同様であり、照射光１６０３は、光ディスク１０１のラベル領域１０３で反射し、反射光１６０２がラベル１６０１として表示される。この場合、データ記録再生用光照射手段１０６とラベル表示用光を照射するラベル表示手段１２６は、情報記録媒体１０１のラベル表示側に設定される。これにより、反射型の情報記録媒体でもコンテンツ出力に連動したラベル表示を行うことが可能となる。
【００４８】
ここで特に触れなかった記録方式、媒体構成、材料、情報記録方法及び情報再生方法、装置等については、実施例１と同様である。
【図面の簡単な説明】
【００４９】
【図１】本発明による情報再生装置の一例を示す概略ブロック図。
【図２】本発明による光ディスクの構成例を示す模式図。
【図３】本発明によるラベルの図形部分とそれ以外の部分における透過率分布を示す図。
【図４】本発明による情報再生装置の使用方法例を示す図。
【図５】本発明による情報再生処理例を示すフローチャート。
【図６】本発明によるラベル表示を行うシステムコントローラのブロック図。
【図７】本発明による光ディスクの断面構成図。
【図８】ラベル記録処理例を示すフローチャート。
【図９】記録工程の例を示すフローチャート。
【図１０】ラベル書込み機能を有する光ディスク装置の一例を示す概略ブロック図。
【図１１】セクタの配置とラベル記録用座標の関係の一例を示す説明図。
【図１２】本発明の光ディスクへのラベル記録例を示す模式図。
【図１３】ラベル記録波形の生成についての説明図。
【図１４】本発明によるラベル表示を行う際のラベル表示手段照射パルス。
【図１５】実施例２による情報再生装置を示す概略ブロック図。
【図１６】本発明によるラベルを一度に表示する例を示す図。
【図１７】本発明によるラベルを時間差で表示する例を示す図。
【図１８】実施例３による情報再生装置を示す概略ブロック図。
【符号の説明】
【００５０】
１０１  光ディスク
１０２  データ領域
１０３  ラベル領域
１０４  回転手段
１０６  半導体レーザ
１０７  光検出器
１０８  対物レンズ
１０９  光ヘッド
１１２  システムコントローラ
１１４  コンテンツ出力パターン検出回路
１１５  コンテンツ出力制御回路
１１６  コンテンツ出力手段
１１７  ラベル表示パターン検出回路
１１８  ラベル表示制御回路
１１９  ラベル
１２０  スクリーン
１２２  筺体
１２３  窓
１２６  ラベル表示手段
６０１  透明基板
６０２  データ記録層
６０３  反射層
６０４  保護基板
１２０１  データ領域
１２０２  ラベル領域
１２０３  透過率の高い領域
１２０４  透過率の低い領域
１２０５  複数の非晶質領域
【図１】
2008171493.tif 000003
【図２】
2008171493.tif 000004
【図３】
2008171493.tif 000005
【図４】
2008171493.tif 000006
【図５】
2008171493.tif 000007
【図６】
2008171493.tif 000008
【図７】
2008171493.tif 000009
【図８】
2008171493.tif 000010
【図９】
2008171493.tif 000011
【図１０】
2008171493.tif 000012
【図１１】
2008171493.tif 000013
【図１２】
2008171493.tif 000014
【図１３】
2008171493.tif 000015
【図１４】
2008171493.tif 000016
【図１５】
2008171493.tif 000017
【図１６】
2008171493.tif 000018
【図１７】
2008171493.tif 000019
【図１８】
2008171493.tif 000020